(57)【特許請求の範囲】
【請求項１】
フランジ部を有したハウジングを備えており、該ハウジングの内部には、光プラグが挿入される光プラグ嵌合部と、該光プラグ嵌合部に挿入される光プラグを該光プラグ嵌合部に係止するプラグロック係止片と、前記光プラグ嵌合部に挿入される光プラグのフェルールを整列保持する割スリーブの略半分を受け入れて前記割スリーブを支持し得る半割スリーブ収納部とが設けられており、前記ハウジングの側面には、前記ハウジングと一体成形された片持ち梁状のパネル取付用ロック係止片が設けられており、該パネル取付用ロック係止片には、前記フランジ部に設けたパネル固定用のネジ穴に通されるネジとの衝突を防止する逃げが設けられている光アダプタ部材であって、同じ形状、寸法の２個の前記光アダプタ部材同士を前記フランジ部で互いに突き合わせ接続したときに、それら光アダプタ部材の半割スリーブ収納部によって割スリーブ収納部を形成し、該割スリーブ収納部に支持される割スリーブを介して、各光アダプタ部材の光プラグ嵌合部に挿入される光プラグのフェルール同士を互いに突き当てることができる光コネクタとして形成され得ることを特徴とする光アダプタ部材。
【請求項２】
同じ形状、寸法の２個の光アダプタ部材同士を該光アダプタ部材のハウジングのフランジ部で互いに突き合わせ接続することによって形成された光コネクタであって、該光コネクタのハウジングの内部には、光プラグがそれぞれ挿入される１対の光プラグ嵌合部と、各光プラグ嵌合部にそれぞれ挿入される各光プラグを各光プラグ嵌合部にそれぞれ係止する２組のプラグロック係止片と、前記光プラグ嵌合部に挿入される各光プラグのフェルールを整列保持する割スリーブを支持するように前記フランジ部の左右各側に延びる割スリーブ収納部とが設けられており、前記ハウジングの側面には、前記ハウジングと一体成形された片持ち梁状のパネル取付用ロック係止片が設けられており、該パネル取付用ロック係止片には、前記フランジ部に設けたパネル固定用のネジ穴に通されるネジとの衝突を防止する逃げが設けられており、各光プラグ嵌合部に光プラグが挿入されたときにこれらの光プラグのフェルール同士を前記割スリーブを介して互いに突き当てることができることを特徴とする光コネクタ。
【発明の詳細な説明】
【０００１】
【発明の属する技術分野】
本発明は、両端に光プラグのようなものを嵌合させることができる光コネクタに関し、特に、光コネクタをパネルへ取り付けるためのパネル取付部材を備えた光コネクタに関する。
【０００２】
【従来の技術】
例えば、実開平６−２５８１６号に、パネル取付部材を備えた光コネクタが示されている。この光コネクタは２個の光コネクタ部材から成る。これらの光コネクタ部材は、互いに同一形状を有し、互いに相補関係で組み合わされて、１つの光コネクタを形成し得る。この光コネクタをパネルに接続するために、例えば金属プレートでできたパネル取付部材が必要とされる。パネル取付け部材は光コネクタ部材とは別体で形成されており、各光コネクタ部材にそれぞれ組み付けられる。例えば、上の従来例では、光コネクタ部材が２個存在することから、パネル取付部材も２個必要となる。また、光コネクタには、例えば割スリーブのような、整列スリーブが必要とされる。整列スリーブは、フェルール同士を整列させてそれらを互いに突き当てることができる。このような光コネクタでは、通常、整列スリーブを遊動的に保持するために、スリーブホルダを設けている。
【０００３】
【発明が解決しようとする課題】
しかしながら、取付部材を光コネクタ部材と別体で設けた場合には、取付部材の分だけ部品点数が増え、これに伴って、コスト高になるという問題がある。特に、上の従来例のように、光コネクタを複数の光コネクタ部材で形成した場合には、取付部材も複数必要になることがある。更に、通常の光コネクタのように、スリーブホルダを使用している場合には、部品点数が更に増加してしまう。
【０００４】
本発明の目的は、上に挙げた従来技術における問題点を解決することであり、取付部材を別体で設けず、しかも、スリーブホルダを使用しないこととして、部品点数の減少によるコスト削減を図った光コネクタを提供することにある。
【０００５】
【課題を解決するための手段】
本発明の一つの観点によれば、フランジ部を有したハウジングを備えており、該ハウジングの内部には、光プラグが挿入される光プラグ嵌合部と、該光プラグ嵌合部に挿入される光プラグを該光プラグ嵌合部に係止するプラグロック係止片と、前記光プラグ嵌合部に挿入される光プラグのフェルールを整列保持する割スリーブの略半分を受け入れて前記割スリーブを支持し得る半割スリーブ収納部とが設けられており、前記ハウジングの側面には、前記ハウジングと一体成形された片持ち梁状のパネル取付用ロック係止片が設けられており、該パネル取付用ロック係止片には、前記フランジ部に設けたパネル固定用のネジ穴に通されるネジとの衝突を防止する逃げが設けられている光アダプタ部材であって、同じ形状、寸法の２個の前記光アダプタ部材同士を前記フランジ部で互いに突き合わせ接続したときに、それら光アダプタ部材の半割スリーブ収納部によって割スリーブ収納部を形成し、該割スリーブ収納部に支持される割スリーブを介して、各光アダプタ部材の光プラグ嵌合部に挿入される光プラグのフェルール同士を互いに突き当てることができる光コネクタとして形成され得ることを特徴とする光アダプタ部材が提供される。
【０００７】
本発明の別の観点によれば、同じ形状、寸法の２個の光アダプタ部材同士を該光アダプタ部材のハウジングのフランジ部で互いに突き合わせ接続することによって形成された光コネクタであって、該光コネクタのハウジングの内部には、光プラグがそれぞれ挿入される１対の光プラグ嵌合部と、各光プラグ嵌合部にそれぞれ挿入される各光プラグを各光プラグ嵌合部にそれぞれ係止する２組のプラグロック係止片と、前記光プラグ嵌合部に挿入される各光プラグのフェルールを整列保持する割スリーブを支持するように前記フランジ部の左右各側に延びる割スリーブ収納部とが設けられており、前記ハウジングの側面には、前記ハウジングと一体成形された片持ち梁状のパネル取付用ロック係止片が設けられており、該パネル取付用ロック係止片には、前記フランジ部に設けたパネル固定用のネジ穴に通されるネジとの衝突を防止する逃げが設けられており、各光プラグ嵌合部に光プラグが挿入されたときにこれらの光プラグのフェルール同士を前記割スリーブを介して互いに突き当てることができることを特徴とする光コネクタが提供される。
【００１０】
【発明の実施の形態】
図１乃至図６を参照して、本発明の実施形態を説明する。
【００１１】
図１乃至図３に、本発明の実施形態による光アダプタコネクタの一例を示す。図１は、この光アダプタコネクタの上面図、図２は、その側面図、図３は、図１の矢印Ａ方向から見たこの光アダプタコネクタの正面図である。これらの図は、特に、本実施形態の光アダプタコネクタがネジ４やワッシャ６を用いてパネル２に固定されているときの状態を示している。
【００１２】
図１、図２に示されるように、この光アダプタコネクタ１は、全く同じ形状、寸法の、互いに相補形状を成す２個の部材（以下、光アダプタ部材と呼ぶ）から成る。各光アダプタ部材は、それぞれが１個の部材として一体成形されており、また、それらのハウジングのフランジ部１４で互いに突き合わせ接続されることによって、１個の完全な光アダプタコネクタとして形成され得る。ただし、この光アダプタコネクタ１の内部には、１個の割スリーブが設けてある。光アダプタ部材１１は、各光アダプタ部材１１に設けた係止舌片２３等を通じて互いに固定し合うようになっている。
【００１３】
光アダプタコネクタ１がパネル２に位置決めされたとき、２個の光アダプタ部材１１のそれぞれが、パネル２の左右各側（図面上下方向）にほぼ対称に配置される。この結果、光アダプタ部材１１のそれぞれが、パネル２に直交する方向に、また、パネルの左右各側にて、図３に示されているような断面四角形の光プラグ挿入口１２を向ける。これらの挿入口１２から、光プラグ３（図６参照）を図示矢印Ａ方向にて光アダプタ部材１１内部にそれぞれ挿入することにより、これらの光プラグを光アダプタコネクタ１の内部で互いに接続させることができる。
【００１４】
更に、図４乃至図６を参照して、この光アダプタコネクタの構造をより詳細に説明する。図４は、図２の４−４線断面図、図５は、図１の５−５線断面図、更に、図６は、光アダプタ部材１１の一方に光プラグ３が挿入されているときの状態を図４と同様の方法で示した図である。図面簡略化のため、図４、図５では、ネジおよびワッシャを、図６では、更にパネルも省略して示している。
【００１５】
図４によく示されるように、各光アダプタ部材１１にはそれぞれ、その一対の対抗側面に１つずつ、計２個のパネル取付用ロック係止片１３が設けてある。光アダプタ部材１１は２個設けられていることから、２組の、したがって計４個のパネル取付用ロック係止片１３、１３’が存在する。これらのパネル取付用ロック係止片１３、１３’は、光アダプタ部材１１をパネル２に取り付けるためのパネル取付部材として使用されるものである。ただし、パネルへの取り付けのために実際に使用されるのは、いずれか一方の光アダプタ部材に設けられた２個のパネル取付用ロック係止片１３だけである。図面から明らかなように、これらのパネル取付用ロック係止片１３、１３’は、光アダプタ部材のその他の部材とともに一体成形されている。したがって、本発明では別体としてのパネル取付部材は存在せず、この結果、光コネクタの部品点数は減少する。
【００１６】
パネル取付用ロック係止片１３、１３’の先端側は、フランジ部の反対側からフランジ部１４の側に向かって延長されている。また、これらのパネル取付用ロック係止片１３は、光アダプタ部材の外側に向かって常時付勢された状態で片持ち梁状とされている。光アダプタコネクタ１をパネル２に取り付けるには、いずれか一方の光アダプタ部材１１を、パネル取付用ロック係止片１３、１３’の根元側から、図示矢印Ｂ方向にて、パネル２の穴３０に挿入すればよい。パネル取付用ロック係止片１３は片持ち梁状とされていることから、パネル取付用ロック係止片１３とパネル穴３０の縁との衝突によって、パネル取付用ロック係止片１３は自然に光アダプタ部材の中心側へと変位されていく。パネル取付用ロック係止片１３の先端に設けた段差部１５が、パネル２の縁に達したときに、パネル取付用ロック係止片１３は外側に向かってパチンと戻り、パネル取付用ロック係止片１３端部の段差部１５はパネル２の端部と係合する。この結果、光アダプタ部材１１は、パネル２に係止（固定）される。
【００１７】
光アダプタ部材１１をパネル２に係止した後に、更に、フランジ部１４のネジ固定用の穴１６にワッシャ６を介してネジ４を通すようにして、光アダプタ部材１１（光アダプタコネクタ１）をパネル２により確実に固定することもできる。ネジ４やワッシャ６を用いた固定状態は、図１乃至図３によく示されている。ただし、上述したように、光アダプタ部材１１は、パネル取付用ロック係止片１３によって既にパネルに係止（固定）されていることから、このネジ止めは必ずしも必要なものではない。ネジ止めを行なうかどうかはユーザの任意である。
【００１８】
図２、図３から明らかなように、パネル取付用ロック係止片１３の先端外部側面には、ネジ止めの際にネジ４の頭、特にその縁４１が、パネル取付用ロック係止片１３と衝突するのを防止する逃げ１７が設けられている。上述したように、パネル取付用ロック係止片１３は光アダプタ部材の外側に向かって常時付勢されていることから、ネジ４の固定作業の際に、ネジ４の縁４１が係止片１３の先端部付近と衝突して、この作業が妨げられるおそれがある。そこで、本発明では、係止片１３に逃げ１７を設けるようにして、このような衝突を防いで、固定作業をスムーズに行なうことができるようにしている。
【００１９】
再び、図４を参照する。光アダプタ部材１１のハウジングの内部には、光プラグ３が挿入される光プラグ嵌合部１８が形成されている。また、この光プラグ嵌合部１８に沿って、光プラグを光プラグ嵌合部１８に係止する２個で１組のプラグロック係止片２０が設けられている。更に、光プラグ嵌合部１８の先端側には、フランジ部１４に抜ける半割スリーブ収納部１９が設けられている。
【００２０】
プラグロック係止片２０はそれぞれ、上に説明したパネル取付用ロック係止片１３とは逆側、すなわち、光アダプタ部材の中心側に向かって常時付勢された状態で片持ち梁状とされている。また、プラグロック係止片２０の先端側は、フランジ部１４の側に向かって延長されている。これらのプラグロック係止片２０を、光プラグ３の挿入側（図１のＡの方向）から見ると、図３に示されているような２段の階段状に見える。
【００２１】
各プラグロック係止片２０のほぼ先端にプラグ係止突起２２が設けてある。図６から容易に類推することができるように、光プラグ３が光プラグ嵌合部１８に挿入されると、この挿入にともなって、プラグロック係止片２０は光プラグ３の対応突起部３２によって光アダプタ部材の外側方向へ変位される。その後、プラグ係止突起２２が対応突起部３２を完全に乗り越えたときに、プラグロック係止片２０は中心側にパチンと戻り、光プラグ３は光アダプタコネクタ１内に係止される。光プラグ３を引き抜くときは逆の動作が行われる。
【００２２】
半割スリーブ収納部１９は、２個の光アダプタ部材１１が互いに組み付け固定されたときに、１個の完全な割スリーブ収納部として形成され得る。更に言えば、１つの光アダプタ部材１１の１つの半割スリーブ収納部１９は、１つの完全な形態としての割スリーブ収納部の半分のみしか形成しない。半割スリーブ収納部１９は、その後方、すなわち、フランジ部１４とは反対側に、割スリーブの抜け防止のために環状の抜け止め２１を有する。光コネクタ部材同士が互いに組み付けられる際、割スリーブは、その半分のみをいずれか一方の光コネクタ部材の半割スリーブ収納部１９に収容され、そこに遊動的に支持される。光コネクタ部材が互いに組み付けられたとき、この割スリーブ９は、２個の半割スリーブ収納部１９によって完全に包囲され、また、それら光コネクタ部材の抜け止め２１の間に遊動的に支持される。このように、本発明では、割スリーブをこの割スリーブ収納部にわずかの遊動をもって直接的に支持することとしており、したがって、従来の光コネクタで通常使用されているスリーブホルダは使用しない。
【００２３】
割スリーブ９は、例えば、セラミック、又は、リン青銅等の材料にて一体的に形成されたものであってもよい。割スリーブ９は、その両側から光プラグ３のフェルール３１（図６参照）を受け入れることができる。図６は、割スリーブ９の一方の側から光プラグ３のフェルール３１を受け入れて、該フェルール３１が整列保持されているときの状態を示している。図面簡略化のため、この図６では、光プラグ３（フェルール３１）は１つしか示されていないが、他方の側（図面下側）にも同様の状態で光プラグ３を配置することができる。フェルール３１は、この割スリーブによって互いに整列された状態で弾性的に保持されることにより、互いに突き合わされる。尚、光プラグ３の構造の詳細についてはここでは省略する。
【００２４】
図５を参照して、光アダプタ部材１１相互間の固定方法を説明する。この図によく示されているように、これらの光アダプタ部材１１は、一方が他方を補う関係で固定される。すなわち、光アダプタの一方の面（例えば、図５の左側の面）のみに着目して説明すれば、一方の光アダプタ部材１１の係止舌片２３に設けた１個の突起２５と本体部２４に設けた１個の突起２６の計２個の突起部が、他方の光アダプタ部材１１に設けられた係止穴２７、２８と、それぞれ係合するようになっている。図１から明らかなように、この一方の面と同一の面上には、もう１組の係合部２５’（２７’）、２６’（２８’）が存在する。したがって、これらの光アダプタ部材１１は、一方の面において、計４個所で互いに固定し合う。他方の面を含めれば、これらの光アダプタ部材１１は、計８個所で互いに固定し合っているということができる。
【００２５】
これらの突起部や係止穴に加えて、更に他の突起や穴部の組を設けることにより、光アダプタ部材１１同士を固定する際の向きを決定することもできる。すなわち、一方の光アダプタ部材１１（例えば、図５の上側の光アダプタ部材）の一方の面（例えば、図５の左側の面）に突起（図示されていない）を設け、他方の光アダプタ部材１１（図５の下側の光アダプタ部材）の一方の面（図５の左側の面）に、この突起が挿入される穴部（図示されていない）を設けて、各光アダプタ部材の逆差しを防止することができる。逆差しを防止して、光アダプタ部材１１同士の固定向きを決定することにより、例えば、この光アダプタ部材１１の固定向きに対応させて、各光アダプタ部材１１における光プラグ挿入受け部２９（図３参照）の方向を定めるようにすれば、各光アダプタ部材１１に挿入される光ファイバプラグの偏心方向を容易に一致させることができ、それら光ファイバプラグ間の光の伝達を良好なものとすることができる。
【００２６】
上述したように、本実施形態の光アダプタ部材は、その全体が１つの部材として一体成形されている。更に言えば、本実施形態では、パネル取付用ロック係止片１３、１３’のみならず、プラグロック係止片２０や光アダプタ挿入部１８その他の部分もまた、光アダプタ部材のハウジングの一部として形成されている。したがって、本実施形態の光コネクタを形成するには、２個の光アダプタ部材と１個の割スリーブ、したがって、計３個の部品のみしか必要としない。
【００２７】
尚、本実施形態では、全く同じ形状、寸法の、互いに相補形状を成す２個の光アダプタ部材１１から光コネクタを形成し、各光アダプタ部材１１のそれぞれにパネル取付用ロック係止片１３を設けることとしていたが、パネル取付側の光アダプタ部材１１のみにそのようなパネル取付用ロック係止片を設けるようにしてもよい。
【００２８】
次に、図７乃至図９を参照して、簡易光レセプタクルコネクタの一参考例を説明する。
【００２９】
図７は、この簡易光レセプタクルコネクタ５に簡易光プラグ８が挿入された状態を、図２の４−４線断面図と同様の方法で示す図（図６に相当する）、図８は、このときの状態を、図１の５−５線断面図と同様の方法で示す図（図５にほぼ相当する）、更に図９は、図１の矢印Ａ方向から見たこの光レセプタクルコネクタの正面図に相当する図（図３に相当する）である。図面簡略化のため、これらの図では、ネジやワッシャ、パネルは省略されている。なお、図面中、図１乃至図６における番号と同じ番号は、図１乃至図６におけるのと同じ部材または同等の部材を示しているものとする。
【００３０】
簡易光レセプタクルコネクタ５は、図１乃至図６を参照して上に説明した光アダプタコネクタ１のように、光プラグ３（図６参照）同士を嵌合させるためのものではなく、光プラグと簡易光プラグ８を嵌合させるためのコネクタである。ここで、簡易光プラグ８とは、例えば、図６に示した光プラグ３から外部ハウジングを取り除いたもの、更に言えば、フェルール３１’とこのフェルール保持部材３３のみから成る簡易な光プラグ３を意味するが、これに、限定されるものではない。図７、図８に簡易光プラグ８として示したプラグは簡易光プラグ８の単なる一例にすぎない。
【００３１】
簡易光レセプタクルコネクタ５は、外部ハウジングである光レセプタクル部材５１と、この外部ハウジングの内部に配置される内部ハウジングである簡易光プラグハウジング５２と、１つの割スリーブ９’から成る。図面からも明らかなように、これらの各部品は、それぞれが１個の部材として一体成形されている。
【００３２】
光レセプタクル部材５１の内部のほぼ半分（図面下側半分）には、光プラグ３を挿入することができるようになっており、残りのほぼ半分（図面上側半分）には、簡易光プラグハウジング５２を組み付けることができるようになっている。
【００３３】
光プラグ３の挿入側には、内部にプラグロック係止片２０を備えた光プラグ嵌合部５３が設けられている。プラグロック係止片２０や光プラグ嵌合部５３の構造や働きは、本発明の実施形態による光アダプタコネクタ１のそれと「ほぼ同様」である。「ほぼ同様」としたのは、この参考例では、光プラグ嵌合部５３における半割スリーブ収納部６１は簡易光プラグハウジング５２の一部として形成されていることから、これと区別しようとしたためである。この点については後述する。
【００３４】
簡易光プラグハウジング５２の組み付け側には、簡易光プラグハウジングを挿入するための内部ハウジング部５４が形成されている。この内部ハウジング部５４は、簡易光プラグハウジング５２の挿入側に抜ける断面四角形の貫通孔として形成されている。簡易光プラグハウジング５２は、この貫通孔を通じて、光レセプタクル部材５１の内部に組み付けられる。
【００３５】
簡易光プラグハウジング５２の組み付け側と光プラグ３の挿入側との仕切り付近に、簡易光プラグハウジング５２の前側壁面５５と衝突する挿入止め用の突出部５６が設けてある。更に、図８によく示されているように、簡易光プラグハウジング５２の側壁に設けた凹部５７に対応して、光レセプタクル部材５１の内側壁面に凸部５８が設けてある。簡易光プラグハウジング５２は、これら突出部５６と壁面５５の衝突や、凸部５８と凹部５７の嵌合を通じて、光レセプタクル部材５１内の所定位置に位置決めされ、固定される。
【００３６】
簡易光プラグハウジング５２は、簡易光プラグ８の挿入側に抜けている。簡易光プラグハウジング５２の内部には、簡易光プラグ８を挿入するための簡易光プラグ嵌合部６２が形成されている。簡易光プラグ嵌合部６２には、簡易光プラグ８の挿入側に延びる２個１組の簡易光プラグロック係止片５９が設けてある。簡易光プラグ８の挿入に伴って、簡易光プラグロック係止片５９の先端部に設けた突起６０と、簡易光プラグ８のフェルール保持部材３３に設けた対応突起３４との衝突を通じて、簡易光プラグロック係止片５９は簡易光プラグ８の外側に押し広げられる。その後、簡易光プラグロック係止片５９の突起６０がフェルール３１部材の対応突起３４を乗り越えたときに、簡易光プラグロック係止片５９はパチンと戻り、簡易光プラグ８は簡易光プラグ嵌合部６２に係止（固定）される。
【００３７】
図面からは必ずしも明確ではないが、参考例における割スリーブ収納部６１は、本発明の実施形態における半割スリーブ収納部（１９）と異なることに注意してもらいたい。すなわち、本発明の実施形態における半割スリーブ収納部１９は、互いに組み付けられることによって１つの完全な割スリーブとして形成されていたが、これに対し、参考例では、割スリーブ収納部６１は、簡易光プラグハウジング５２の一部分として、１つの完全な割スリーブとして形成されている。
【００３８】
また、本発明の実施形態では、割スリーブは、光アダプタ部材の組み付け時にそれらの間の半割スリーブ収納部（１９）に予め保持されることとされていたが、これに対し、参考例では、割スリーブ９’は、簡易光プラグ８の先端のフェルール３１’に組み付けた状態で、簡易光プラグ８とともに光レセプタクルコネクタ５に挿入されて、割スリーブ収納部６１に位置決めされる。このため、割スリーブ収納部６１の一方の側、すなわち、簡易光プラグ挿入側では、本発明の実施形態と異なり、抜け止めは設けられていない。この参考例では、割スリーブ９’は、プラグ挿入側の割スリーブ収納部６１に設けた抜け止め２１’と、簡易光プラグ８のフェルール保持部材３３によって狭持される。したがって、この参考例にあっても、割スリーブはこの割スリーブ収納部に直接保持されることとなり、従来の光コネクタで通常使用されているスリーブホルダは使用されていない。
【００３９】
最後に図９を参照する。この図は、簡易光プラグの挿入側を示している。反対側の光プラグの挿入側は、本発明の実施形態で説明した図３と全く同じと考えてよい。上述したように、簡易光プラグと光プラグをそれぞれの側から挿入することにより、その割スリーブにて、それらのフェルールは整列保持されることになる。
【００４０】
この参考例では、パネル取付用ロック係止片１３を、簡易光プラグハウジング５２の組み付け側とは反対側の対抗側面のみに設けているが、本発明の実施形態と同様に、簡易光プラグハウジング５２の組み付け側に、或いは、それら双方の側に設けてもよい。いずれにせよ、この参考例においても本発明の実施形態と同様に、パネル取付用ロック係止片１３は光レセプタクルコネクタ５の一部として光レセプタクルコネクタ５と一体成形されており、また、割スリーブを保持するためスリーブホルダは存在しない。
【００４１】
本発明の実施形態を、単心の光コネクタを例に挙げて説明してきたが、本発明を多心の光コネクタに適用することは極めて容易であろう。本発明はこのような多心光コネクタをも対象とするものである。
【００４２】
【発明の効果】
部品点数の減少によるコスト削減を図った光コネクタが提供される。また、パネル取付用ロック係止片に設けた逃げにより、光コネクタをパネルに取り付けるためのネジを係止片によって妨害されることなしにパネルに固定することができる。
【図面の簡単な説明】
【図１】本発明の実施形態による光アダプタコネクタの一例の上面図。
【図２】図１の本発明の実施形態による光アダプタコネクタの側面図。
【図３】図１の矢印Ａ方向から見た本発明の実施形態による光アダプタコネクタの正面図。
【図４】図２の４−４線断面図。
【図５】図１の５−５線断面図。
【図６】本発明の実施形態による光アダプタコネクタを光プラグとともに図４と同様の方法で示す図。
【図７】本発明の実施形態の図６に相当する、参考例による光レセプタクルコネクタの断面図。
【図８】本発明の実施形態の図５に相当する、参考例による光レセプタクルコネクタを簡易光プラグとともに示した断面図。
【図９】本発明の実施形態の図３に相当する、参考例による光レセプタクルコネクタの断面図。
【図１】
0003598241.tif 000002
【図２】
0003598241.tif 000003
【図３】
0003598241.tif 000004
【図４】
0003598241.tif 000005
【図５】
0003598241.tif 000006
【図６】
0003598241.tif 000007
【図７】
0003598241.tif 000008
【図８】
0003598241.tif 000009
【図９】
0003598241.tif 000010